(57)【要約】【課題】  母材フィルムを連続的に送りながらフィルムを所定間隔で貼り付けることができ、しかも、フィルムをカットする際に屑が生じない極めて生産性及び経済性に秀れたフィルム貼着装置を提供することである。【解決手段】  母材フィルム１に所定間隔でフィルム２を貼着するフィルム貼着装置であって、巻回ロール３に巻回されたフィルム２を引き出すフィルム引き出し機構４と、該フィルム引き出し機構４によって引き出されたフィルム２を所定幅にカットし、このカットされたフィルム２を、送りロール５によって連続的に送られる母材フィルム１に所定間隔で貼着するフィルム貼着機構６とを有し、該フィルム貼着機構６は、カットされたフィルム２を吸着保持して回転する吸着ロール７と、このカットされたフィルム２を吸着ロール７から受け取り、前記送りロール５によって送られる母材フィルム１の所定箇所に貼着する貼着ロール９とで構成され、前記吸着ロール７は、正逆回転制御し得るように構成されているものである。【選択図】      図６
2006088480.tif 000002
【特許請求の範囲】
【請求項１】
母材フィルムに所定間隔でフィルムを貼着するフィルム貼着装置であって、巻回ロールに巻回されたフィルムを引き出すフィルム引き出し機構と、該フィルム引き出し機構によって引き出されたフィルムを所定幅にカットし、このカットされたフィルムを、送りロールによって連続的に送られる母材フィルムに所定間隔で貼着するフィルム貼着機構とを有し、該フィルム貼着機構は、カットされたフィルムを吸着保持して回転する吸着ロールと、このカットされたフィルムを吸着ロールから受け取り、前記送りロールによって送られる母材フィルムの所定箇所に貼着する貼着ロールとで構成され、前記吸着ロールは、正逆回転制御し得るように構成されていることを特徴とするフィルム貼着装置。
【請求項２】
請求項１記載のフィルム貼着装置において、前記吸着ロールの正逆回転により、フィルムは、帯状に順次カットされるように構成されていることを特徴とするフィルム貼着装置。
【請求項３】
請求項１，２いずれか１項に記載のフィルム貼着装置において、貼着ロールは、吸着ロールからフィルムを受け取る際には、該吸着ロールと同期回転し、受け取ったフィルムを送りロールによって送られる母材フィルムに貼着する際には、該送りロールと同期回転するように設定されていることを特徴とするフィルム貼着装置。
【請求項４】
請求項１〜３いずれか１項に記載のフィルム貼着装置において、フィルムのカットは、吸着ロールに対設されるカットロールにより行われることを特徴とするフィルム貼着装置。
【請求項５】
請求項４記載のフィルム貼着装置において、吸着ロールの周面は、カットされたフィルムを複数並設状態で吸着保持するように構成され、貼着ロールの周面には、該貼着ロールの幅方向に所定間隔で凸部が設けられ、該凸部は、受け取ったフィルムを吸着保持するように構成されていることを特徴とするフィルム貼着装置。
【請求項６】
請求項５記載のフィルム貼着装置において、吸着ロールは、カットロールによってカットされたフィルムを、貼着ロールに受け渡す際、この受け渡されるフィルムの吸着保持作用が停止するように構成されていることを特徴とするフィルム貼着装置。
【請求項７】
請求項５，６いずれか１項に記載のフィルム貼着装置において、貼着ロールは、吸着ロールから受け取ったフィルムを送りロールによって送られる母材フィルムに貼着する際、この貼着するフィルムの吸着保持作用が停止するように構成されていることを特徴とするフィルム貼着装置。
【請求項８】
請求項１〜７いずれか１項に記載のフィルム貼着装置において、フィルム引き出し機構は、前記フィルムを巻回ロールから引き出してフィルム貼着機構に送り出す送り出しロールと、引き出されたフィルムの張力を調整するダンサーロールとを有することを特徴とするフィルム貼着装置。
【請求項９】
請求項１〜８いずれか１項に記載のフィルム貼着装置において、送りロールは、母材フィルムを加熱しながら送るヒートロールに構成されていることを特徴とするフィルム貼着装置。
【請求項１０】
請求項１〜９いずれか１項に記載のフィルム貼着装置において、母材フィルムは金属製フィルムであり、この金属製フィルムには塗剤が所定間隔でコーティングされており、このコーティングされた塗剤の端部位置に該塗剤を保護するフィルムが貼着されることを特徴とするフィルム貼着装置。
【発明の詳細な説明】
【技術分野】
【０００１】
本発明は、フィルム貼着装置に関するものである。
【背景技術】
【０００２】
所定間隔で矩形状に塗剤がコーティングされたフィルム状部材の前記塗剤の端部位置若しくは所定間隔でフィルム体が貼着されたフィルム状部材の前記フィルム体の端部位置には、該塗剤若しくはフィルム体の端部が欠損したり剥がれたりしないように、帯状の保護フィルムが貼着される場合がある。
【０００３】
この塗剤若しくはフィルム体の端部位置に保護フィルムが貼着されたフィルム状部材は、例えば図１に図示したように間隔をおいて塗剤39がコーティングされた母材フィルム31が巻回された巻回ロール33から、該母材フィルム31を、ヒートロール34及びフィードロール35によって送り出し、前記塗剤39の端部が貼着ロール38の下方に位置した際、一旦この母材フィルム31の送り出しを停止して、巻回ロール36から予め所定量引き出され、カッター37等でカットし、前記貼着ロール38に設けた吸着部40により吸着されていた保護フィルム32を、該吸着された保護フィルム32が母材フィルム31側となるように貼着ロール38を回転させると共に降下させ、母材フィルム31の塗剤39の端部にこの保護フィルム32を貼着し、これを連続的に行って各母材フィルム31の塗剤39の端部に保護フィルム32を貼着することで製造される。
【発明の開示】
【発明が解決しようとする課題】
【０００４】
しかしながら、上記従来の製造方法には、下記のような欠点がある。
【０００５】
（１）母材フィルム31を間欠的に送り出す製造方法であるため、極めて生産効率が悪い。
【０００６】
（２）送り速度を上げられない。これは、母材フィルム31を間欠的に送り出す場合には加減速を繰り返す必要があるため、送り速度を上げるとこの加減速に伴う張力変化が大きくなり、極めて薄い（数十μｍ）母材フィルム31が断裂するおそれがあるためである。
【０００７】
（３）保護フィルム32の消費が早く、作業性が悪い。即ち、保護フィルム32は、予め必要な所定幅のもの、例えば１５ｍｍ幅のもので、巻回ロール36から引き出す際、必要な長さ分だけ引き出す必要があり（例えば、必要な保護フィルム32の寸法が６００ｍｍ×１５ｍｍであれば、引き出し量は６００ｍｍ）、それだけ消費が早く、巻回ロール36を頻繁に取り替える必要がある。
【０００８】
また、図２〜５に図示したような巻回ロール41に巻回された保護フィルム42を引き出すフィルム引き出し機構43と、該フィルム引き出し機構43によって引き出された保護フィルム42をカットロール49によりカットし、このカットされた保護フィルム42を、送りロール44によって連続的に送られる塗剤54がコーティングされた母材フィルム45に所定間隔で貼着するフィルム貼着機構46とを有し、該フィルム貼着機構46は、カットされた保護フィルム42を吸着保持して回転する吸着ロール47と、このカットされた保護フィルム42を吸着ロール47から受け取り、前記送りロール44によって送られる母材フィルム45の所定箇所に貼着する貼着ロール48とで構成され、母材フィルム45を連続的に送りながら、該母材フィルム45と略同速で連続的に引き出される保護フィルム42をカットロール49により所定間隔でカットし（打ち抜いて）、このカットされた保護フィルム42を吸着ロール47で受け取り且つ前記母材フィルム45に所定間隔で貼り付けることで、図４に図示したようなフィルム状部材を製造するフィルム貼着装置も提案されている。尚、図中符号51は送り出しロール、52はフィルム42の張力を調整するダンサーロール、53はガイドロールである。
【０００９】
ところが、この図２〜５のような連続タイプのフィルム貼着装置は、保護フィルム42を所定間隔で打ち抜く（カットする）と共に、母材フィルム45と保護フィルム42の双方を略同速で連続的に送ることで保護フィルム42の貼着を実現しているため、打ち抜かれ貼着された貼着用部分42ａ以外の部分、即ち、不要部分42ｂは巻き取りロール50によって巻き取らなければならず、それだけ厄介であると共に、図３，５に図示したように打ち抜かれ貼着される必要部分（貼着用部分42ａ）の量に比して不要部分42ｂが極めて多く、無駄が多い。即ち、図２〜５のようなフィルム貼着装置は、母材フィルム45を連続的に送りながら保護フィルム42を貼着できる構成ではあるが、極めて無駄が多く経済性が悪い。
【００１０】
本発明は、上述のような問題点を解決するもので、母材フィルムを連続的に送りながらフィルムを所定間隔で貼り付けることができ、しかも、フィルムをカットする際に屑が生じない極めて生産性及び経済性に秀れたフィルム貼着装置を提供するものである。
【課題を解決するための手段】
【００１１】
添付図面を参照して本発明の要旨を説明する。
【００１２】
母材フィルム１に所定間隔でフィルム２を貼着するフィルム貼着装置であって、巻回ロール３に巻回されたフィルム２を引き出すフィルム引き出し機構４と、該フィルム引き出し機構４によって引き出されたフィルム２を所定幅にカットし、このカットされたフィルム２を、送りロール５によって連続的に送られる母材フィルム１に所定間隔で貼着するフィルム貼着機構６とを有し、該フィルム貼着機構６は、カットされたフィルム２を吸着保持して回転する吸着ロール７と、このカットされたフィルム２を吸着ロール７から受け取り、前記送りロール５によって送られる母材フィルム１の所定箇所に貼着する貼着ロール９とで構成され、前記吸着ロール７は、正逆回転制御し得るように構成されていることを特徴とするフィルム貼着装置に係るものである。
【００１３】
また、請求項１記載のフィルム貼着装置において、前記吸着ロール７の正逆回転により、フィルム２は、帯状に順次カットされるように構成されていることを特徴とするフィルム貼着装置に係るものである。
【００１４】
また、請求項１，２いずれか１項に記載のフィルム貼着装置において、貼着ロール９は、吸着ロール７からフィルム２を受け取る際には、該吸着ロール７と同期回転し、受け取ったフィルム２を送りロール５によって送られる母材フィルム１に貼着する際には、該送りロール５と同期回転するように設定されていることを特徴とするフィルム貼着装置に係るものである。
【００１５】
また、請求項１〜３いずれか１項に記載のフィルム貼着装置において、フィルム２のカットは、吸着ロール７に対設されるカットロール８により行われることを特徴とするフィルム貼着装置に係るものである。
【００１６】
また、請求項４記載のフィルム貼着装置において、吸着ロール７の周面は、カットされたフィルム２を複数並設状態で吸着保持するように構成され、貼着ロール９の周面には、該貼着ロール９の幅方向に所定間隔で凸部11が設けられ、該凸部11は、受け取ったフィルム２を吸着保持するように構成されていることを特徴とするフィルム貼着装置に係るものである。
【００１７】
また、請求項５記載のフィルム貼着装置において、吸着ロール７は、カットロール８によってカットされたフィルム２を、貼着ロール９に受け渡す際、この受け渡されるフィルム２の吸着保持作用が停止するように構成されていることを特徴とするフィルム貼着装置に係るものである。
【００１８】
また、請求項５，６いずれか１項に記載のフィルム貼着装置において、貼着ロール９は、吸着ロール７から受け取ったフィルム２を送りロール５によって送られる母材フィルム１に貼着する際、この貼着するフィルム２の吸着保持作用が停止するように構成されていることを特徴とするフィルム貼着装置に係るものである。
【００１９】
また、請求項１〜７いずれか１項に記載のフィルム貼着装置において、フィルム引き出し機構４は、前記フィルム２を巻回ロール３から引き出してフィルム貼着機構６に送り出す送り出しロール14と、引き出されたフィルム２の張力を調整するダンサーロール15とを有することを特徴とするフィルム貼着装置に係るものである。
【００２０】
また、請求項１〜８いずれか１項に記載のフィルム貼着装置において、送りロール５は、母材フィルム１を加熱しながら送るヒートロールに構成されていることを特徴とするフィルム貼着装置に係るものである。
【００２１】
また、請求項１〜９いずれか１項に記載のフィルム貼着装置において、母材フィルム１は金属製フィルム１であり、この金属製フィルム１には塗剤18が所定間隔でコーティングされており、このコーティングされた塗剤18の端部位置に該塗剤18を保護するフィルム２が貼着されることを特徴とするフィルム貼着装置に係るものである。
【発明の効果】
【００２２】
本発明は上述のように構成したから、母材フィルムを常に連続的に送りながらフィルムを所定間隔で貼り付けることができ、しかも、フィルムをカットする際に屑が生じない極めて生産性及び経済性に秀れた極めて実用性に秀れたフィルム貼着装置となる。
【発明を実施するための最良の形態】
【００２３】
好適と考える本発明の実施形態を、図面に基づいて本発明の作用を示して簡単に説明する。
【００２４】
母材フィルム１に所定間隔でフィルム２を貼着する際、母材フィルム１を連続的に送りながら、母材フィルム１に帯状にカットしたフィルム２を所定間隔で順次貼着することができるから、図１の間欠送りタイプに比べて極めて効率良くフィルム２を貼着することができ、それだけ生産効率の向上を図ることができる。
【００２５】
また、母材フィルム１を加減速無く連続的に送ることができるから、該母材フィルム１に作用する張力は略一定となり、母材フィルム１がそれだけ断裂しにくく、送り速度をより速くすることができ、この点からも生産効率の向上を図ることができる。
【００２６】
また、フィルム２は単に連続的に送るのではなく、正逆回転制御し得るように設定されているから、このフィルム２は端部から順次帯状にカットされ、図２〜５の装置のように大量の屑が生ぜず、経済性・環境性にも秀れたものとなる。
【実施例】
【００２７】
本発明の具体的な実施例について図６〜１１に基づいて説明する。
【００２８】
本実施例は、母材フィルム１に所定間隔で保護フィルム２を貼着する保護フィルム貼着装置であって、巻回ロール３に巻回された保護フィルム２を引き出すフィルム引き出し機構４と、該フィルム引き出し機構４によって引き出された保護フィルム２を所定幅にカットし、このカットされた保護フィルム２を、送りロール５によって連続的に送られる母材フィルム１に所定間隔で貼着するフィルム貼着機構６とを有し、該フィルム貼着機構６は、カットされた保護フィルム２を吸着保持して回転する吸着ロール７と、このカットされた保護フィルム２を吸着ロール７から受け取り、前記送りロール５によって送られる母材フィルム１の所定箇所に貼着する貼着ロール９とで構成され、前記吸着ロール７は、正逆回転制御し得るように構成されているものである。
【００２９】
本実施例においては、塗剤18がコーティングされた母材フィルム１の、該塗剤18の一端側18ａに保護フィルム２を貼着する構成であり（図７参照）、具体的には、母材フィルム１の表裏両面に同様に保護フィルム２を貼着するため、上述の保護フィルム貼着装置を二台を設けることになる。即ち、一台目で母材フィルム１の表側に保護フィルム２を貼着した後、続けて二台目に母材フィルム１を表裏反転せしめて導入し、裏側に保護フィルム２を貼着する。尚、更に母材フィルム１の表裏両面且つ前記塗剤18の他端側18ｂにも保護フィルム２を貼着する場合には、更に二台の保護フィルム貼着装置を用いて同様の処理を行う。
【００３０】
尚、母材フィルム１は金属製フィルム１（例えばアルミ箔）であり、この金属製フィルム１には塗剤18が矩形状に所定間隔でコーティングされており、このコーティングされた塗剤18の端部に保護フィルム２が貼着される。
【００３１】
各部を具体的に説明する。
【００３２】
フィルム貼着機構６は、図６，８に図示したような保護フィルム２を吸着する吸着ロール７と、該吸着ロール７に吸着される保護フィルム２をカットする刃を有するカットロール８と、該カットロール８によってカットされた保護フィルム２を受け取り、母材フィルム１に所定間隔で貼着する貼着ロール９とで構成されている。
【００３３】
保護フィルム２のカットは、該保護フィルム２を所定幅の帯状にカットするように設定されれている。具体的には、巻回ロール３に巻回される保護フィルム２は、母材フィルム１に貼着する際に必要な長さＬと同じ幅を有するものであり（図７参照）、この保護フィルム２を引き出して母材フィルム１に貼着する際に必要な幅毎にカットする。
【００３４】
即ち、従来のように必要な長さ毎ではなく、必要な幅毎にカットするから、一枚の帯状の保護フィルム２を得るための引き出し長さは最小（例えば必要な保護フィルムの寸法が６００ｍｍ×１５ｍｍであれば、幅６００ｍｍの保護フィルム２を用意し、引き出し長さは１５ｍｍ）に抑えられ、それだけ巻回ロール３の交換期間を長く取ることが可能となり、生産効率の向上を図れる。
【００３５】
この保護フィルム２のカットは、吸着ロール７に対設されるカットロール８により行なわれる。カットロール８には、順次送られてくる保護フィルムをカットするため、所定間隔で刃が設けられており、該刃を設けたカットロール８を所定速度で回転させながら吸着ロール７に吸着される保護フィルム２を順次カットするように構成されている。
【００３６】
本実施例においては、カットロール８の外周に９０度間隔で保護フィルム２の幅よりやや長いトムソン刃８ａが４つ設けられている。
【００３７】
従って、保護フィルム２は、図３，５に図示した場合と異なり、図９に図示したように、端部から順次帯状にカットされ、屑（不要部分）が一切生じないから、材料を無駄なく利用できると共に廃棄物の量も削減でき、経済性・環境性に秀れることになる。
【００３８】
吸着ロール７の周面は、カットされた保護フィルム２を複数並設状態で吸着保持するように構成されている。具体的には、吸着ロール７の周面には多数の吸引孔12が設けられており、吸着ロール７の内部に設けられた吸引用空間13及び該吸引用空間13と吸気用パイプ16を介して連通する真空ポンプとから成る吸引機構により、吸引孔12に保護フィルム２を吸着保持し得る吸引力が生じるように構成されている。
【００３９】
また、貼着ロール９の周面には、該貼着ロール９の幅方向に所定間隔でカットされた保護フィルム２を受け取る凸部11が設けられ、該凸部11は、受け取った保護フィルム２を吸着保持するように構成されている。本実施例においては、凸部11は９０度間隔で４つ設けられている。具体的には、上記吸着ロール７同様、貼着ロール９の凸部11には多数の吸引孔12が設けられており、貼着ロール９の内部に設けられた吸引用空間13及び該吸引用空間13と吸気用パイプ16を介して連通する真空ポンプとから成る吸引機構により、吸引孔12に保護フィルム２を吸着保持し得る吸引力が生じるように構成されている。
【００４０】
フィルム貼着機構６は、カットロール８と貼着ロール９とが吸着ロール７を挟むようにして夫々対設された構成であり、カットロール８は、前記トムソン刃８ａによって吸着ロール７上の保護フィルム２をカットし得るように対設され、貼着ロール９は、帯状にカットされた保護フィルム２を凸部11の頂面で受け取れるように対設されている。
【００４１】
また、貼着ロール９は、吸着ロール７から保護フィルム２を受け取る際には、該吸着ロール７と同期回転し、受け取った保護フィルム２を送りロール５によって送られる母材フィルム１に貼着する際には、該送りロール５と同期回転するように設定されている。
【００４２】
更に、吸着ロール７は、カットロール８によってカットされた保護フィルム２を、貼着ロール９に受け渡す際、この受け渡される保護フィルム２の吸着保持作用が停止するように構成されており、貼着ロール９は、吸着ロール７から受け取った保護フィルム２をシート送りロール５によって送られる母材フィルム１に受け渡す際、この受け渡される保護フィルム２の吸着保持作用が停止するように構成されている。
【００４３】
具体的には、図１０に図示したように、吸着ロール７の前記保護フィルム２が保持される周面部７ａと、吸引機構が設けられた吸着ロール７の内部吸引部７ｂは、夫々独立にサーボモータ（図示省略）により回転制御されるように構成され、内部吸引部７ｂは吸引用空間部13を介して周面部７ａの吸引孔12と連設しており、保護フィルム２を受け渡す際、吸引孔12により吸着されている保護フィルム２の該吸着作用が発揮されないように、受け渡し位置には吸引用空間部13が位置しないように制御される。
【００４４】
尚、より確実に受け渡しを行うために、受け渡す際に内方からのエアーブローにより保護フィルム２を吸着ロール７から離脱させるように構成しても良い。また、貼着ロール９も同様に吸引孔12により保護フィルム２を吸着するものであるから、同様にエアーブローにより離脱させるように構成しても良い。
【００４５】
フィルム引き出し機構４は、前記保護フィルム２を巻回ロール３から引き出してフィルム貼着機構６に送り出す送り出しロール14と、引き出された保護フィルム２の張力を調整するダンサーロール15とから成り、前記送り出しロール14により送り出される保護フィルム２は、その先端部が前記吸着ロール７に吸着されている。尚、図中符号17はガイドロールである。
【００４６】
フィルム引き出し機構４は、後述する吸着ロール７の回転制御と連動し、保護フィルム２を間欠的に引き出して該保護フィルム２を吸着ロール７に順次供給する。
【００４７】
送りロール５は、母材フィルム１を加熱しながら送るヒートロールに設定されている。よって、保護フィルム２は、母材フィルム１に熱融着によって貼着されることになる。この送りロール５は、貼着ロール９と対設されており、具体的には、貼着ロール９の一の凸部11で吸着ロール７から保護フィルム２を受け取る際には、他の凸部11から送りロール５によって送られる母材フィルム１へ保護フィルム２が貼着されず、且つ一の凸部11から送りロール５によって送られる母材フィルム１へ保護フィルム２を貼着する際には、他の凸部11に保護フィルム２を受け渡さないような位置に対設されている。
【００４８】
即ち、貼着ロール９が保護フィルム２を受け取る動作と、母材フィルム１へ保護フィルム２を貼着する動作は同時に行われないように設定されている。
【００４９】
ところで、カットロール８によりカットされた保護フィルム２は、貼着ロール９を介して母材フィルム１に貼着されるが、送りロール５により母材フィルム１を一定速度で送りながら保護フィルム２を貼着する場合、吸着ロール７及び貼着ロール９を一定速度で回転させても保護フィルム２の受け取り・受け渡しは良好に行えず、また、保護フィルム２を端部から順次帯状にカットすることもできない。
【００５０】
そこで、本実施例においては、貼着ロール９については加減速制御、吸着ロール７については正逆反転制御を行うことで上記問題を解決している。
【００５１】
以下、図１１に基づいて更に具体的に説明する。
【００５２】
（１）カットロール８によりカットされた帯状の保護フィルム２ａを凸部11に受け渡す際には、貼着ロール９及び吸着ロール７の回転速度を同期させる（図１１（ａ）→（ｂ））。
【００５３】
（２）吸着ロール７から貼着ロール９への保護フィルム２ａの受け渡しの際、受け渡し位置Ａにおいては吸引機構による吸引力が保護フィルム２に作用しないように、吸着ロール７の内部吸引部７ｂに設けられる吸引用空間部13が受け渡し位置Ａへ移動しないように吸着ロール７の内部吸引部７ｂは回転させない（図１１（ｂ）→（ｃ））。
【００５４】
（３）帯状の保護フィルム２ａを受け取った後、前記保護フィルム２ａを受け取った凸部11の以外の一の凸部11に吸着されている保護フィルム２を送りロール５によって送られる母材フィルム１の所定箇所に貼着するために、貼着ロール９の回転速度を加速する（図１１（ｃ）→（ｄ））。
【００５５】
具体的には、この凸部11から母材フィルム１の所定位置への保護フィルム２の貼着は、センサによって母材フィルム１とコーティングされた塗剤18の境界部をセンシングして貼着ロール９の回転を送りロール５の回転に同期せしめた上で行われる。
【００５６】
（４）この際、吸着ロール７の外周部７ａは、前記保護フィルム２ａを貼着ロール９に受け渡した後、次に受け渡す保護フィルム２ｂを受け取る貼着ロール９の凸部11と同期できる位置まで後退させるため、回転方向を反転させる（図１１（ｅ））。
【００５７】
この反転は、保護フィルム２ａ受け渡し直後には行わず（急速反転は不可）、次に受け渡す保護フィルム２ｂがある程度進んでから行う。
【００５８】
尚、このように保護フィルム２を吸着する吸着ロール７の外周部７ａは回転方向が反転するから、前記フィルム引き出し機構４による保護フィルム２の引き出しは母材フィルム１と異なり、連続的ではなく間欠的となる。
【００５９】
（５）吸着ロール７の内部吸引部７ｂも、次に受け渡される保護フィルム２ｂが落ちないように該保護フィルム２の移動に追従して回転させる（図１１（ｄ）→（ｅ））。
【００６０】
（６）吸着ロール７を反転させて次に受け渡される保護フィルム２ｂが所定の位置まで戻ったら、上記（１）同様吸着ロール７と貼着ロール９とを同期回転させる。尚、反転時には、吸着ロール７の内部吸引部７ｂは、上記受け渡し位置Ａまで反転させる。
【００６１】
以上の動作を繰り返すことで、送りロール５を連続的に回転させて送りながら母材フィルム１に所定間隔で帯状の保護フィルム２を貼着することができる。
【００６２】
尚、本実施例は母材フィルム１に保護フィルム２を貼着せしめる場合であるが、本発明は、要は一つのフィルムに別のフィルムを貼着する場合の全てに適用され、また、本発明で言う「フィルム」は樹脂フィルム等の極めて薄いものに限らず、本発明の作用効果が発揮される適度な厚みを有するものを含むものである。
【００６３】
本実施例は上述のように構成したから、母材フィルム１に所定間隔で保護フィルム２を貼着する際、母材フィルム１を連続的に送りながら、母材フィルム１に帯状にカットした保護フィルム２を所定間隔で順次貼着することができるから、従来の間欠送りタイプに比べて極めて効率良く保護フィルム２を貼着することができ、それだけ生産効率の向上を図ることができる。
【００６４】
また、連続的に送ることができるから、母材フィルム１に作用する張力は略一定であり、それだけ切れにくくなり、母材フィルム１を送る速度をより速くすることができ、この点からも生産効率の向上を図ることができる。
【００６５】
更に、保護フィルム２を、従来のように必要な長さ毎ではなく、必要な幅毎にカットするから、一枚の帯状の保護フィルム２を得るための引き出し長さは最小に抑えられ、それだけ交換期間を長く取ることが可能となり、この点においても生産効率の向上を図れる。
【００６６】
また、第二フィルム２を貼着ロール９に受け渡す吸引ロール７を正逆反転制御することで、保護フィルム２を、端部から順次帯状にカットすることができ、屑が一切生じないから、材料を無駄なく利用できると共に廃棄物の量も削減でき、経済性・環境性にも秀れることになる。
【００６７】
従って、本実施例は、母材フィルムを常に連続的に送りながら保護フィルムを所定間隔で貼り付けることができ、しかも、保護フィルムをカットする際に屑が生じない極めて生産性及び経済性に秀れたものとなる。
【図面の簡単な説明】
【００６８】
【図１】従来例の構成概略説明斜視図である。
【図２】関連技術の構成概略説明側面図である。
【図３】関連技術のフィルム貼着機構の拡大構成概略説明者斜視図である。
【図４】関連技術の保護フィルムが貼着された母材フィルムの概略説明図である。
【図５】関連技術の保護フィルムの打ち抜き形態の概略説明図である。
【図６】本実施例の構成概略説明側面図である。
【図７】本実施例の保護フィルムが貼着された母材フィルムの概略説明図である。
【図８】本実施例のフィルム貼着機構の拡大構成概略説明斜視図である。
【図９】本実施例の保護フィルムのカット形態の概略説明図である。
【図１０】本実施例の吸着ロールの構成概略説明図である。
【図１１】本実施例の吸着ロール及び貼着ロールの回転制御の概略説明図である。
【符号の説明】
【００６９】
１  母材フィルム
２  フィルム
３  巻回ロール
４  フィルム引き出し機構
５  送りロール
６  フィルム貼着機構
７  吸着ロール
８  カットロール
９  貼着ロール
11  凸部
14  送り出しロール
15  ダンサーロール
18  塗剤
【図１】
2006088480.tif 000003
【図２】
2006088480.tif 000004
【図３】
2006088480.tif 000005
【図４】
2006088480.tif 000006
【図５】
2006088480.tif 000007
【図６】
2006088480.tif 000008
【図７】
2006088480.tif 000009
【図８】
2006088480.tif 000010
【図９】
2006088480.tif 000011
【図１０】
2006088480.tif 000012
【図１１】
2006088480.tif 000013